(57)【要約】【課題】扉の使用時の安全性を確保しながら、意匠性を維持することが可能となる、施錠装置の取付構造を提供すること。【解決手段】施錠装置５０の取付構造は、扉体２０を施錠するための施錠装置５０であり、扉体２０の内部に設けられた施錠装置本体５１と、室外側表面材４１に形成された室外側貫通孔４１ａを介して施錠装置本体５１から扉体２０の外側に向けて突出するように設けられた室外側操作軸５２と、室外側操作軸５２の先端部に接続された室外側カバー部５３とを備えた施錠装置５０を、扉体２０に対して取り付けるための取付構造であって、扉体２０の内部において室外側表面材４１と施錠装置本体５１との相互間に設けられたガタつき抑制部７０であり、第２挿通孔７２ａに室外側操作軸５２を挿通させることにより、室外側カバー部５３によって室外側貫通孔４１ａが覆われるように、室外側操作軸５２のガタつきを抑制する。【選択図】図３
2018123519.tif 000002
【特許請求の範囲】
【請求項１】
建物の開口部に設けられた扉を構成する扉体を施錠するための施錠装置であり、前記扉体の内部に設けられた施錠装置本体と、前記扉体を構成する表面材に形成された貫通孔を介して前記施錠装置本体から前記扉体の外側に向けて突出するように設けられた操作軸と、前記操作軸の先端部に接続されたカバー部であり、前記貫通孔を前記扉体の外側から覆うためのカバー部とを備えた施錠装置を、前記扉体に対して取り付けるための取付構造であって、
前記扉体の内部において前記表面材と前記施錠装置本体との相互間に設けられたガタつき抑制手段であり、挿通孔を有するガタつき抑制手段であって、前記挿通孔に前記操作軸を挿通させることにより、前記カバー部によって前記表面材の前記貫通孔が覆われるように、当該操作軸のガタつきを抑制する、
施錠装置の取付構造。
【請求項２】
前記ガタつき抑制手段の前記挿通孔と前記操作軸との相互間の隙間の長さを、下記式（１）から下記式（３）を満たすように設定した、
請求項１に記載の施錠装置の取付構造。
Ｋ１＜Ｋ０×Ｔ１／Ｔ０・・・（１）
Ｋ０＞０・・・（２）
Ｋ１＞０・・・（３）
（ここで、
Ｋ０：カバー部における表面材側の側面の外周端と表面材の貫通孔の外周端との相互間の長さ、
Ｋ１：ガタつき抑制手段の挿通孔と操作軸との相互間の隙間の長さ、
Ｔ０：施錠装置本体から表面材に至るまでの長さ、
Ｔ１：施錠装置本体から挿通孔に至るまでの長さ）
【請求項３】
前記操作軸は、
操作軸本体と、
前記操作軸本体から当該操作軸本体に略直交する方向に向けて突出する第１接続部であり、当該操作軸本体を前記施錠装置本体に接続するための第１接続部と、
前記操作軸本体に対して前記第１接続部側とは反対側の位置において、当該操作軸本体から当該操作軸本体に略直交する方向に向けて突出する第２接続部であり、当該操作軸本体を前記施錠装置本体に接続するための第２接続部と、を備え、
前記ガタつき抑制手段の前記挿通孔の大きさを、下記式（４）、下記式（５）を満たすように設定した、
請求項２に記載の施錠装置の取付構造。
Ａ１＝Ｂ１＋Ｋ１×２・・・（４）
Ａ２＝Ｂ２＋Ｋ１×２・・・（５）
（ここで、
Ａ１：ガタつき抑制手段の挿通孔における第１接続部と第２接続部との並設方向に略直交する方向の長さ、
Ａ２：ガタつき抑制手段の挿通孔における第１接続部と第２接続部との並設方向の長さ、
Ｂ１：操作軸本体における第１接続部と第２接続部との並設方向に略直交する方向の長さ、
Ｂ２：第１接続部の外縁端部から第２接続部の外縁端部に至る長さ）
【請求項４】
前記ガタつき抑制手段は、前記挿通孔を有する厚肉状の側部であり、前記表面材に対して略平行に設けられた側部を備え、
前記挿通孔の大きさを、前記側部の側面のうち前記施錠装置本体側の側面から前記表面材側の側面に至るにしたがって大きくした、
請求項１から３のいずれか一項に記載の施錠装置の取付構造。
【発明の詳細な説明】
【技術分野】
【０００１】
本発明は、施錠装置の取付構造に関する。
【背景技術】
【０００２】
従来、建物の開口部に設けられる扉を施錠するための施錠装置が普及している。このような施錠装置は、シリンダ錠を用いて構成されており、扉を構成する扉体の内部に収容される部分（以下、「本体部」と称する）と、扉体の外側表面材に形成された取付用孔を介して外部から挿通することにより本体部に取り付けられた部分であって、本体部を操作する部分（以下、「シリンダ部」と称する）と、外側表面材よりも外側においてシリンダ部に取り付けられた部分であって、取付用孔を覆うための部分（以下、「カバー部」と称する）とを備えている。
【先行技術文献】
【特許文献】
【０００３】
【特許文献１】特開２０１５−８６６６８号公報
【発明の概要】
【発明が解決しようとする課題】
【０００４】
ここで、上記取付用孔の内径については、本体部に対してシリンダ部を容易に取り付けることができるように、通常はシリンダ部の外径よりも大きく設定されている。また、上記カバー部の外径については、扉の意匠性を維持する観点から、通常は取付用孔の内径よりも若干大きく設定されている。これらの設定において、例えば、扉体の厚さが比較的厚い扉に施錠装置が設けられた場合には、シリンダ部の軸方向の長さが比較的長くなることから、シリンダ部を介して錠操作が行われると、シリンダ部の軸方向の長さが比較的短い場合に比べて、本体部に対するシリンダ部のガタつきの量が大きくなる。この場合に、例えば、カバー部の外周端と取付用孔の外周端との相互間の隙間（すなわち、カバー部の掛かり量）が上記シリンダ部のガタつきの量よりも小さい場合には、取付用孔の一部がカバー部によって覆われなくなることで、取付用孔が外部に露出してしまう可能性があった。これにより、例えば、ユーザが外部に露出した取付用孔に指を挿入することでユーザが怪我をしたり、扉の意匠性を低下させるおそれがあるので、扉の使用時の安全性を確保しながら、扉の意匠性を維持する観点からは改善の余地があった。
【０００５】
本発明は、上記従来技術における課題を解決するためのものであって、扉の使用時の安全性を確保しながら、意匠性を維持することが可能となる、施錠装置の取付構造を提供することを目的とする。
【課題を解決するための手段】
【０００６】
上述した課題を解決し、目的を達成するために、請求項１に記載の施錠装置の取付構造は、建物の開口部に設けられた扉を構成する扉体を施錠するための施錠装置であり、前記扉体の内部に設けられた施錠装置本体と、前記扉体を構成する表面材に形成された貫通孔を介して前記施錠装置本体から前記扉体の外側に向けて突出するように設けられた操作軸と、前記操作軸の先端部に接続されたカバー部であり、前記貫通孔を前記扉体の外側から覆うためのカバー部とを備えた施錠装置を、前記扉体に対して取り付けるための取付構造であって、前記扉体の内部において前記表面材と前記施錠装置本体との相互間に設けられたガタつき抑制手段であり、挿通孔を有するガタつき抑制手段であって、前記挿通孔に前記操作軸を挿通させることにより、前記カバー部によって前記表面材の前記貫通孔が覆われるように、当該操作軸のガタつきを抑制する。
【０００７】
請求項２に記載の施錠装置の取付構造は、請求項１に記載の施錠装置の取付構造において、前記ガタつき抑制手段の前記挿通孔と前記操作軸との相互間の隙間の長さを、下記式（１）から下記式（３）を満たすように設定した。
Ｋ１＜Ｋ０×Ｔ１／Ｔ０・・・（１）
Ｋ０＞０・・・（２）
Ｋ１＞０・・・（３）
（ここで、
Ｋ０：カバー部における表面材側の側面の外周端と表面材の貫通孔の外周端との相互間の長さ、
Ｋ１：ガタつき抑制手段の挿通孔と操作軸との相互間の隙間の長さ、
Ｔ０：施錠装置本体から表面材に至るまでの長さ、
Ｔ１：施錠装置本体から挿通孔に至るまでの長さ）
【０００８】
請求項３に記載の施錠装置の取付構造は、請求項２に記載の施錠装置の取付構造において、前記操作軸は、操作軸本体と、前記操作軸本体から当該操作軸本体に略直交する方向に向けて突出する第１接続部であり、当該操作軸本体を前記施錠装置本体に接続するための第１接続部と、前記操作軸本体に対して前記第１接続部側とは反対側の位置において、当該操作軸本体から当該操作軸本体に略直交する方向に向けて突出する第２接続部であり、当該操作軸本体を前記施錠装置本体に接続するための第２接続部と、を備え、前記ガタつき抑制手段の前記挿通孔の大きさを、下記式（４）、下記式（５）を満たすように設定した。
Ａ１＝Ｂ１＋Ｋ１×２・・・（４）
Ａ２＝Ｂ２＋Ｋ１×２・・・（５）
（ここで、
Ａ１：ガタつき抑制手段の挿通孔における第１接続部と第２接続部との並設方向に略直交する方向の長さ、
Ａ２：ガタつき抑制手段の挿通孔における第１接続部と第２接続部との並設方向の長さ、
Ｂ１：操作軸本体における第１接続部と第２接続部との並設方向に略直交する方向の長さ、
Ｂ２：第１接続部の外縁端部から第２接続部の外縁端部に至る長さ）
【０００９】
請求項４に記載の施錠装置の取付構造は、請求項１から３のいずれか一項に記載の施錠装置の取付構造において、前記ガタつき抑制手段は、前記挿通孔を有する厚肉状の側部であり、前記表面材に対して略平行に設けられた側部を備え、前記挿通孔の大きさを、前記側部の側面のうち前記施錠装置本体側の側面から前記表面材側の側面に至るにしたがって大きくした。
【発明の効果】
【００１０】
請求項１に記載の施錠装置の取付構造によれば、挿通孔に操作軸を挿通させることにより、カバー部によって表面材の貫通孔が覆われるように、当該操作軸のガタつきを抑制するので、貫通孔が外部に露出することを確実に防止できる。よって、外部に露出した貫通孔にユーザの指が挿入されることを回避できるため、扉の使用時の安全性を確保できると共に、扉の意匠性を維持することができる。
【００１１】
請求項２に記載の施錠装置の取付構造によれば、ガタつき抑制手段の挿通孔と操作軸との相互間の隙間の長さを、下記式（１）から下記式（３）を満たすように設定したので、挿通孔において、貫通孔が外部に露出することを防止しながら、操作軸を施錠装置本体に対して取り付ける際のアソビ（隙間）を確保できるので、扉の使用時の安全性を確保しながら、施錠装置の施工性を維持することが可能となる。
Ｋ１＜Ｋ０×Ｔ１／Ｔ０・・・（１）
Ｋ０＞０・・・（２）
Ｋ１＞０・・・（３）
（ここで、
Ｋ０：カバー部における表面材側の側面の外周端と表面材の貫通孔の外周端との相互間の長さ、
Ｋ１：ガタつき抑制手段の挿通孔と操作軸との相互間の隙間の長さ、
Ｔ０：施錠装置本体から表面材に至るまでの長さ、
Ｔ１：施錠装置本体から挿通孔に至るまでの長さ）
【００１２】
請求項３に記載の施錠装置の取付構造によれば、ガタつき抑制手段の挿通孔の大きさを、下記式（４）、下記式（５）を満たすように設定したので、操作軸が、操作軸本体、第１接続部、及び第２接続部を有する場合でも、挿通孔において、貫通孔が外部に露出することを防止しながら、操作軸を施錠装置本体に対して取り付ける際のアソビを確保できるので、扉の使用時の安全性を一層確保しながら、施錠装置の施工性を一層維持できる。
Ａ１＝Ｂ１＋Ｋ１×２・・・（４）
Ａ２＝Ｂ２＋Ｋ１×２・・・（５）
（ここで、
Ａ１：ガタつき抑制手段の挿通孔における第１接続部と第２接続部との並設方向に略直交する方向の長さ、
Ａ２：ガタつき抑制手段の挿通孔における第１接続部と第２接続部との並設方向の長さ、
Ｂ１：操作軸本体における第１接続部と第２接続部との並設方向に略直交する方向の長さ、
Ｂ２：第１接続部の外縁端部から第２接続部の外縁端部に至る長さ）
【００１３】
請求項４に記載の施錠装置の取付構造によれば、挿通孔の大きさを、側部の側面のうち施錠装置本体側の側面から表面材側の側面に至るにしたがって大きくしたので、操作軸を施錠装置本体に対して容易に取り付けることができ、施錠装置の施工性をさらに一層維持することが可能となる。
【図面の簡単な説明】
【００１４】
【図１】本発明の実施の形態に係る扉であって、全閉状態を示す図であり、（ａ）は正面図、（ｂ）は右側面図（一部省略）である。
【図２】図１（ａ）のＡ−Ａ矢視断面図である。
【図３】図２の戸先側の領域の拡大図である。
【図４】室外側操作軸を示す斜視図である。
【図５】ガタつき抑制部を示す図であり、（ａ）は背面図、（ｂ）は正面図、（ｃ）は左側面図である。
【図６】ガタつき抑制部の変形例を示す図であり、（ａ）は背面図、（ｂ）は左側面図である。
【図７】ガタつき抑制部の変形例を示す図であり、（ａ）は背面図、（ｂ）は左側面図である。
【図８】ガタつき抑制部の変形例を示す図であり、（ａ）は背面図、（ｂ）は左側面図である。
【図９】ガタつき抑制部の変形例を示す図であり、（ａ）は背面図、（ｂ）は左側面図である。
【図１０】ガタつき抑制部の変形例を示す図であり、（ａ）は背面図、（ｂ）は正面図、（ｃ）は左側面図である。
【発明を実施するための形態】
【００１５】
以下に添付図面を参照して、この発明に係る施錠装置の取付構造の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１６】
〔Ｉ〕実施の形態の基本的概念
まず、実施の形態の基本的概念について説明する。実施の形態は、概略的に、建物の開口部に設けられた扉を構成する扉体を施錠するための施錠装置を、扉体に対して取り付けるための取付構造に関するものである。
【００１７】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、天井、床等）において出入口を設置するために形成された開口部である。また、「扉」は、開口部に設置される構造体であって、開口部の出入りを抑制又は制限するための構造体を意味する。また、扉の取り付け位置や用途は任意であるが、例えば玄関に設置される「玄関扉」、勝手口や通用口に設置される「勝手口扉」、あるいは建物内部に設置される「室内扉」等を含む。また、扉の開閉構造は任意であり、例えば、片開式の開き戸や両開式の開き戸（いわゆる親子扉）等の「開き戸」や「引き戸」として構成することができる。以下、実施の形態では、扉が、ビルの如き建物の通路に面する位置に配置された片開式の開き戸である場合について説明する。
【００１８】
〔ＩＩ〕実施の形態の具体的内容
次に、実施の形態の具体的内容について説明する。
【００１９】
（構成）
最初に、実施の形態に係る枠体を備える扉の構成について説明する。以下の説明では、図１のＸ方向を扉の左右方向又は見付け方向（−Ｘ方向を扉の左方向、＋Ｘ方向を扉の右方向）、図１のＹ方向を扉の前後方向又は見込み方向（＋Ｙ方向を扉の前方向（部屋の室内側の方向）、−Ｙ方向を扉の後方向（部屋の室外側の方向））、図１のＺ方向を扉の上下方向（＋Ｚ方向を扉の上方向、−Ｚ方向を扉の下方向）と称する。
【００２０】
図１に示すように、この扉１は、概略的に、枠体１０、扉体２０、及びヒンジ部６０を備えて構成されている。ただし、扉１に関する特記しない構成については、従来と同様であるものとして説明を省略する。なお、後述する扉１を構成する各種部材同士の取付方法（又は接続方法）については任意であるが、例えば、取付側の部材又は取付相手側の部材に形成された取付孔（例えば、リベット孔、ネジ孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２１】
（構成−枠体）
枠体１０は、建物の躯体（図示省略）に形成された開口部２の周縁に設置されるものであり、スチール製（又はステンレス製）の左右一対の縦枠１１、１２及び上下一対の横枠１３、１４を備えている。これら縦枠及び横枠は、それぞれ開口部２の周縁における建物の躯体に対して公知の方法で直接的に固定されており、相互に組み合わせられることによって、正面形状が略矩形環状となるように形成されている。以下では、必要に応じて、左右一対の縦枠１１、１２のうち、開口部２の戸尻側に位置する縦枠１１を「戸尻側縦枠１１」と称し、開口部２の戸先側に位置する縦枠１２を「戸先側縦枠１２」と称する。また、上下一対の横枠１３、１４のうち、開口部２の上方側に位置する横枠１３を「上側横枠１３」と称し、開口部２の下方側に位置する横枠１４を「くつずり横枠１４」と称する。
【００２２】
また、この戸先側縦枠１２には、デッドボルト受け及びラッチ受けが設けられている（いずれも図示省略）。デッドボルト受けは、扉体２０によって開口部２が閉鎖された状態（以下、「全閉状態」と称する）において、扉体２０に設けられた後述する公知のデッドボルトを受けるためのデッドボルト受容手段であり、後述するデッドボルトと対応する位置に配置されている。ラッチ受けは、扉体２０に設けられた後述するラッチ２２を受けるためのラッチ受容手段であり、ラッチ２２と対応する位置に配置されている。
【００２３】
（構成−扉体）
扉体２０は、建物の開口部２を開閉するための平板状の開閉体であり、図１から図３に示すように、扉フレーム３０及び表面材４１、４２を備えている。
【００２４】
（構成−扉体−扉フレーム）
扉フレーム３０は、扉体２０の剛性を主として担うものである。この扉フレーム３０は、スチール製（又はステンレス製）の左右一対の縦力骨３１、３２及び上下一対の横力骨（図示省略）を組み合わせることによって、正面形状が略矩形環状となるように形成されている。以下では、必要に応じて、左右一対の縦力骨３１、３２のうち、戸尻側の縦力骨３１を「戸尻側縦力骨３１」と称し、戸先側の縦力骨３２を「戸先側縦力骨３２」と称する。また、上下一対の横力骨のうち、上側の横力骨を「上側横力骨」と称し、下側の横力骨を「下側横力骨」と称する。
【００２５】
また、図２に示すように、戸尻側縦力骨３１と戸先側縦力骨３２との相互間には、中骨３３が相互に間隔を隔てて左右方向に沿って複数並設されている。中骨３３は、扉フレーム３０を補強するものであり、長手方向（上下方向）の長さが戸尻側縦力骨３１（又は戸先側縦力骨３２）の長手方向（上下方向）の長さと略同一となるように形成され、上下方向に略沿うように設置されている。
【００２６】
（構成−扉体−表面材）
表面材４１、４２は、扉体２０の２つの主側面（扉体２０の側面のうち、面積が最も大きな側面）のいずれか一方を構成するものであって、少なくとも扉フレーム３０における見込み方向（前後方向）の一方側の側面（例えば、部屋の室外側の側面）の略全体を覆うものである。表面材４１、４２は、扉体２０の２つの主側面のいずれか他方を構成するものであって、少なくとも扉フレーム３０における見込み方向の他方側の側面（例えば、部屋の室内側の側面）の略全体を覆うものである。また、これら表面材４１、４２は、例えば薄厚な鋼材（具体的には、スチール、ステンレス）等を用いて構成されており、扉フレーム３０を部屋の室外側及び室内側から覆うように設けられ、扉フレーム３０に対して溶接又は固定具等によって固定されている。以下では、必要に応じて、これら表面材４１、４２のうち、部屋の室外側の表面４１材を「室外側表面材４１」と称し、部屋の室内側の表面材４２を「室内側表面材４２」と称する。
【００２７】
また、図３に示すように、室外側表面材４１における部屋の室外側の側面には室外側貫通孔４１ａが形成されていると共に、室内側表面材４２における部屋の室内側の側面には室内側貫通孔４２ａが形成されている。この室外側貫通孔４１ａは、後述する施錠装置５０の室外側操作軸５２を扉体２０の内部に挿通させるための貫通孔であり、図３に示すように、室外側表面材４１における室外側操作軸５２と対応する部分に設けられている。また、この室内側貫通孔４２ａは、後述する施錠装置５０の室内側操作軸５４を扉体２０の内部に挿通させるための貫通孔であり、図３に示すように、室内側表面材４２における室内側操作軸５４と対応する部分に設けられている。また、これら室外側貫通孔４１ａ及び室内側貫通孔４２ａの形状及び大きさについては、実施の形態では、室外側貫通孔４１ａについては、室外側貫通孔４１ａの内径が室外側操作軸５２の外径よりも大きな円形状に設定している。また、室内側貫通孔４２ａについては、室内側貫通孔４２ａの内径が室内側操作軸５４の外径よりも大きな円形状に設定している。このような構成により、室外側操作軸５２及び室内側操作軸５４を扉体２０の外部から後述する施錠装置５０の施錠装置本体５１に対して取り付けることが可能となる。
【００２８】
（構成−扉体−その他の構成）
また、図１から図３に示すように、扉体２０の戸先側には、把手２１、ラッチ２２、及び施錠装置５０が設けられている。
【００２９】
（構成−扉体−その他の構成−把手）
把手２１は、ユーザが扉体２０の開閉操作を行うためのものであり、扉体２０における部屋の室外側の側面及び室内側の側面における相互に対応する位置に設けられている。この把手２１の固定方法については任意であるが、例えば、まず、室外側表面材４１に形成された取付孔（図示省略）、及び室内側表面材４２に形成された取付孔（図示省略）に把手２１の回転軸（図示省略）を挿通する。次いで、この挿通した回転軸を室外側表面材４１及び室内側表面材４２の各々に設けられた固定部材（図示省略）に対して回転可能に固定する。そして、この回転軸の前端部及び後端部の各々に対して把手２１の把手本体部２１ａを固定する。
【００３０】
（構成−扉体−その他の構成−ラッチ）
ラッチ２２は、施錠装置５０による施錠の有無に関わらず、全閉状態の位置に扉体２０を維持するためのものである。このラッチ２２は、扉体２０の内部（具体的には、後述する施錠装置本体５１の内部）に収容された連動機構（図示省略）を介して把手２１と連結されており、ユーザによる把手２１の操作に連動して、施錠装置本体５１及び取付板２３に形成された挿通孔（図示省略）を介して当該ラッチ２２を扉体２０の戸先側の側面から出し入れすることができる。これにより、全閉状態において、このラッチ２２を戸先側縦枠１２に設けられたラッチ受けに係止させることにより、扉体２０を全閉状態の位置に維持することができる。
【００３１】
（構成−扉体−その他の構成−施錠装置）
施錠装置５０は、扉体２０を施錠するための装置である。この施錠装置５０は、例えば公知の施錠装置（一例として、シリンダ錠等）を用いて構成されており、図２、図３に示すように、施錠装置本体５１、室外側操作軸５２、室外側カバー部５３、室内側操作軸５４、室内側カバー部５５、及びデッドボルト（図示省略）を備えている。
【００３２】
（構成−扉体−その他の構成−施錠装置−施錠装置本体）
施錠装置本体５１は、施錠装置５０の基本構造体であって、各種の機構（図示省略）を収容するための収容手段である。この施錠装置本体５１は、略箱状体にて形成されており、図２、図３に示すように、扉体２０の内部に収容されている。また、この施錠装置本体５１の設置方法については任意であるが、例えば、扉体２０の戸先側の見込面に形成された図示しない差込孔を介して施錠装置本体５１を扉体２０の内部に収容した後、当該施錠装置本体５１を取付板２３を介して戸先側縦力骨３２に対して固定具等によって固定する。
【００３３】
（構成−扉体−その他の構成−施錠装置−室外側操作軸）
室外側操作軸５２は、部屋の室外側から施錠装置５０を操作するための操作軸（シリンダ錠のシリンダ部に相当）にであり、図２から図４に示すように、操作軸本体５２ａ、第１接続部５２ｂ、及び第２接続部５２ｃを備えている。
【００３４】
操作軸本体５２ａは、室外側操作軸５２の基本構造体である。この操作軸本体５２ａは、長尺な鋼製の略筒状体（図４では、円筒状体）にて形成されており（具体的には、図３に示すように、室内側操作軸５４の操作軸本体５４ａよりも長い長さにて形成されている）、図３に示すように、操作軸本体５２ａが施錠装置本体５１から室外側貫通孔４１ａを介して扉体２０の外側に向けて突出するように設けられている。また、図４に示すように、操作軸本体５２ａには、キー（図示省略）を挿入するためのキー挿入孔５２ｄが形成されているので、ユーザがキーを介して操作軸本体５２ａを操作することができる。
【００３５】
第１接続部５２ｂ及び第２接続部５２ｃは、操作軸本体５２ａを施錠装置本体５１に接続するためのものである。図４に示すように、この第１接続部５２ｂは、操作軸本体５２ａから当該操作軸本体５２ａの軸方向に略直交する方向に向けて（図４では、上方に向けて）突出するように形成された凸状体であり、操作軸本体５２ａの上端側の部分のうち部屋の室内側の端部に配置されている。また、この第２接続部５２ｃは、操作軸本体５２ａから当該操作軸本体５２ａの軸方向に略直交する方向に向けて（図４では、下方に向けて）突出する凸状体にて形成されており、操作軸本体５２ａに対して第１接続部５２ｂ側とは反対側の位置（図４では、操作軸本体５２ａの下端側の部分のうち部屋の室内側の端部）に配置されている。
【００３６】
このように構成された室外側操作軸５２を施錠装置本体５１に対して接続する方法については任意であるが、例えば、室外側表面材４１の室外側貫通孔４１ａ、後述するガタつき抑制部７０の第１挿通孔７１ａ及び第２挿通孔７２ａ、及び施錠装置本体５１に形成された取付孔（図示省略）を介して室外側操作軸５２を施錠装置本体５１の内部に挿入した後、第１接続部５２ｂ及び第２接続部５２ｃの各々に形成された挿通孔５２ｅにピン（図示省略）を挿通することにより、室外側操作軸５２を施錠装置本体５１に対して接続する（なお、室内側操作軸５４を施錠装置本体５１に対して接続する方法についても同様とする）。
【００３７】
（構成−扉体−その他の構成−施錠装置−室外側カバー部）
図２に戻り、室外側カバー部５３は、室外側貫通孔４１ａを扉体２０の外側から覆うためのカバー部（シリンダ錠のカバー部に相当）である。この室外側カバー部５３は、頂部を切り取った中空の略円錐状体にて形成されており、室外側操作軸５２の先端部（図２、図３では、室外側操作軸５２の室外側の端部）に設けられており、室外側操作軸５２に対して嵌合構造又は固定具等によって固定されている。また、この室外側カバー部５３の外径の形状及び大きさについては任意であるが、室外側カバー部５３によって室外側貫通孔４１ａが覆われるように、例えば、図２、図３に示すように、室外側操作軸５２の先端部から室外側表面材４１に至るにしたがって大きくなる円形状に設定していると共に、室外側表面材４１側の室外側カバー部５３の外径を室外側貫通孔４１ａの内径よりも若干大きく設定している。ただし、これに限られず、例えば、室外側カバー部５３の外径を前後方向に対して略同一の大きさになるように設定してもよい。
【００３８】
（構成−扉体−その他の構成−施錠装置−室内側操作軸）
室内側操作軸５４は、部屋の室内側から施錠装置５０を操作するための操作軸（シリンダ錠のシリンダ部に相当）であり、図２、図３に示すように、操作軸本体５４ａ、第１接続部（図示省略）、及び第２接続部（図示省略）を備えている。なお、この室内側操作軸５４は、操作軸本体５４ａの構成の詳細を除いて、室外側操作軸５２と略同一に構成されているので、その詳細な説明を省略する。
【００３９】
操作軸本体５４ａは、室内側操作軸５４の基本構造体であり、長尺な鋼製の略筒状体（具体的には、円筒状体）にて形成され、図２、図３に示すように、操作軸本体５４ａが施錠装置本体５１から室内側貫通孔４２ａを介して扉体２０の外側に向けて突出するように設けられている。また、図２、図３に示すように、操作軸本体５４ａの先端部には、ユーザの指でつまむことが可能なつまみ部５４ｂ（いわゆるサムターン）が取り付けられているので、ユーザがつまみ部５４ｂを介して操作軸本体５４ａを操作することができる。
【００４０】
（構成−扉体−その他の構成−施錠装置−室内側カバー部）
室内側カバー部５５は、室内側貫通孔４２ａを扉体２０の外側から覆うためのカバー部（シリンダ錠のカバー部に相当）である。この室内側カバー部５５は、室外側カバー部５３と略同一に構成されているので、その詳細な説明を省略する。
【００４１】
（構成−扉体−その他の構成−施錠装置−デッドボルト）
デッドボルトは、扉体２０を戸先側縦枠１２に対して係止するためのものである。このデッドボルトは、扉体２０の内部（具体的には、施錠装置本体５１の内部）に収容されており、室外側操作軸５２又は室内側操作軸５４を介して鍵操作を行うことにより、施錠装置本体５１及び取付板２３に形成された挿通孔（図示省略）を介して当該デッドボルトを扉体２０の戸先側の見込面から出し入れすることができる。このような構成により、全閉状態において、このデッドボルトを戸先側縦枠１２に設けられたデッドボルト受けに係止させることで、扉体２０を施錠することができる。
【００４２】
（構成−ヒンジ部）
図１に戻り、ヒンジ部６０は、扉体２０を戸尻側縦枠１１に対して回動自在に軸支するためのものである。このヒンジ部６０は、公知の旗蝶番等を用いて構成されており、戸尻側の端部において、相互に間隔を隔てて上下方向に沿って複数並設されている。また、このヒンジ部６０の固定方法については任意であるが、例えば、図１、図２に示すように、まず、ヒンジ部６０の上支持片６１、室外側表面材４１（又は室内側表面材４２）、及び戸尻側縦力骨３１の各々に形成された取付孔（図示省略）を介して、上支持片６１を戸尻側縦力骨３１に対して固定具により固定する。次に、ヒンジ部６０の下支持片６２、戸尻側縦枠１１、及び戸尻側縦枠１１の内部に設けられたライナ１７の各々に形成された取付孔（図示省略）を介して、下支持片６２を戸尻側縦枠１１に対して固定具により固定する。そして、この下支持片６２と接続された下軸６３を、この上支持片６１と接続された上軸受６４に差し込むことにより、このヒンジ部６０を介して扉体２０と戸尻側縦枠１１とを接続する。
【００４３】
（構成−戸尻側縦枠及び戸先側縦枠の構成の詳細）
次に、戸尻側縦枠１１及び戸先側縦枠１２の構成の詳細について説明する。ただし、これら戸尻側縦枠１１及び戸先側縦枠１２は、特記する場合を除いて、任意の形状、方法、及び材質で製造することができる。実施の形態において、図２に示すように、戸尻側縦枠１１及び戸先側縦枠１２の各々は、枠材本体１５及び固定材１６を備えている。
【００４４】
枠材本体１５は、戸尻側縦枠１１（又は戸先側縦枠１２）の基本構造体である。この枠材本体１５は、Ｘ−Ｙ平面に沿った断面形状が左右方向の外側に向けて開放された略コ字状となるように形成された中空状体であり、開口部２の上下方向の略全長にわたって形成されている。また、枠材本体１５の具体的な構成については任意であるが、例えば、図２に示すように、枠材本体１５における扉体２０に対応する部分を左右方向の外側に向けて凹ませることにより、扉体２０を収容しながら枠材本体１５と扉体２０との干渉を回避することが可能な空間が形成されている。なお、枠体１０の意匠性の観点から、戸尻側縦枠１１の枠材本体１５及び戸先側縦枠１２の枠材本体１５が相互に同一の形状及び大きさに設定されている。
【００４５】
固定材１６は、枠材本体１５を建物の躯体に対して固定すると共に、枠材本体１５を補強するためのものである。この固定材１６は、板状体にて形成されており、具体的には、図２に示すように、当該固定材１６の前後方向の長さが枠材本体１５のコ字状の開放端部における前後方向の長さと略同一（又はそれ以上の長さ）であり、当該固定材１６の上下方向の長さが枠材本体１５の上下方向の長さよりも短くなるように形成されている。また、この固定材１６は、枠材本体１５のコ字状の開放端部側（枠材本体１５の左右方向の外側の端部側）において、所定間隔を隔てて上下方向に沿って複数並設配置されており、枠材本体１５及び建物の躯体に対して溶接等によって固定されている。
【００４６】
（構成−施錠装置の取付構造）
次に、施錠装置５０の取付構造について説明する。この扉１は、施錠装置５０を、扉体２０に対して取り付けるための取付構造を備えている。そして、図２、図３に示すように、この取付構造として、室外側操作軸５２のガタつきを抑制するためのガタつき抑制部７０（ガタつき抑制手段）が設けられている。ここで、室外側操作軸５２のガタつきを抑制するためのガタつき抑制部７０を設けた理由は、以下に示す通りとなる。すなわち、図２、図３に示すように、室外側貫通孔４１ａの内径が室外側操作軸５２の外径よりも大きな形状に設定されていると共に、室外側カバー部５３（特に、室外側表面材４１側の室外側カバー部５３）の外径が室外側貫通孔４１ａの内径よりも若干大きく設定されている。これらの設定において、図２、図３に示すように、室外側操作軸５２の軸方向の長さ（図では、室外側操作軸５２の前後方向の長さ）が比較的長い場合には、ユーザによって室外側操作軸５２を介して錠操作（一例として、施錠操作、解錠操作）が行われると、室外側操作軸５２の軸方向の長さが比較的短い場合に比べて、施錠装置本体５１に対する室外側操作軸５２のガタつきの量が大きくなる。この場合に、例えば、室外側カバー部５３の外周端と室外側貫通孔４１ａの外周端との相互間の隙間（すなわち、室外側カバー部５３の掛かり量）が室外側操作軸５２のガタつきの量よりも小さい場合には、室外側貫通孔４１ａの一部が室外側カバー部５３によって覆われなくなることで、室外側貫通孔４１ａが外部に露出するおそれがあることから、これを回避するためである。なお、室内側操作軸５４のガタつきを抑制するためのガタつき抑制部７０を設けてもよいが、図２、図３に示すように、室内側操作軸５４の軸方向の長さ（図２、図３では、室内側操作軸５４の前後方向の長さ）が比較的短いので、例えば、ユーザによって室内側操作軸５４を介して錠操作が行われたとしても、室内側操作軸５４のガタつきの量が小さいため、室内側貫通孔４２ａが外部に露出するおそれが極めて低いと考えられる。このことから、実施の形態においては、室内側操作軸５４のガタつきを抑制するためのガタつき抑制部７０を設けないこととしている。
【００４７】
このガタつき抑制部７０は、図２、図３に示すように、扉体２０の内部において室外側表面材４１と施錠装置本体５１との相互間に設けられている。また、図３、図５に示すように、このガタつき抑制部７０は、Ｙ−Ｚ平面に沿った断面形状が逆Ｕ字形状となる略板状体にて形成されており、具体的には、第１側部７１、第２側部７２、及び第３側部７３を備えている。
【００４８】
（構成−施錠装置の取付構造−ガタつき抑制部の第１側部）
第１側部７１は、ガタつき抑制部７０を支持対象に対して固定するための側部である。ここで、「支持対象」とは、例えば、扉体２０の構成要素（一例として、室外側表面材４１、戸先側縦力骨３２等）や施錠装置５０の構成要素（一例として、施錠装置本体５１等）を含む概念であるが、実施の形態では、室外側表面材４１として説明する。この第１側部７１は、第３側部７３の室外側の端部から下方に向けて張り出すように形成されており、室外側表面材４１に対して略平行に設けられている。具体的には、図３に示すように、室外側表面材４１の室外側貫通孔４１ａと対向し、且つ室外側表面材４１と当接するように設けられており、室外側表面材４１に対して接着テープ又は接着剤等によって固定されている。
【００４９】
また、図３、図５に示すように、第１側部７１には、第１挿通孔７１ａが形成されている。この第１挿通孔７１ａは、室外側操作軸５２を挿通させるためのものであり、第１側部７１における室外側貫通孔４１ａと対応する部分に設けられており、具体的には、図３に示すように、第１挿通孔７１ａの中心点が室外側貫通孔４１ａの中心点と略同一直線上に位置するように設けられている。また、この第１挿通孔７１ａの形状及び大きさについては任意であるが、実施の形態では、室外側貫通孔４１ａの内径と同一の形状及び大きさに設定している。ただし、これに限られず、例えば、室外側貫通孔４１ａの形状と同一であるものの、室外側貫通孔４１ａの内径よりも大きな大きさに設定してもよい。
【００５０】
（構成−施錠装置の取付構造−ガタつき抑制部の第２側部）
第２側部７２は、室外側操作軸５２のガタつきを抑制するための側部である。図３、図５に示すように、この第２側部７２は、第３側部７３における部屋の室内側の端部から下方に向けて張り出すように形成されており、室外側表面材４１に対して略平行に設けられており、具体的には、第１側部７１の略全体と対向するように設けられている。
【００５１】
また、図３、図５に示すように、第２側部７２には、第２挿通孔７２ａが形成されている。第２挿通孔７２ａは、当該第２挿通孔７２ａに室外側操作軸５２を挿通させることにより、室外側カバー部５３によって室外側貫通孔４１ａが覆われるように、当該室外側操作軸５２のガタつきを抑制するための挿通孔である。この第２挿通孔７２ａは、第２側部７２における室外側貫通孔４１ａ及び第１挿通孔７１ａと対応する部分に設けられており、具体的には、図３に示すように、第２挿通孔７２ａの中心点が室外側貫通孔４１ａの中心点、第１挿通孔７１ａの中心点、及び施錠装置本体５１の挿通孔の中心点と略同一直線上に位置するように設けられている。また、この第２挿通孔７２ａの形状及び大きさについては任意であるが、実施の形態では、室外側操作軸５２の外径と同一の形状に設定すると共に、室外側操作軸５２の外径よりも大きな大きさに設定している。
【００５２】
また、この第２挿通孔７２ａの具体的な構成ついては任意である、実施の形態では、以下に示す通りに構成されている。すなわち、図３に示すように、ガタつき抑制部７０の第２挿通孔７２ａと室外側操作軸５２との相互間の隙間の長さＫ１が、下記式（１）から下記式（３）を満たすように設定されている。
Ｋ１＜Ｋ０×Ｔ１／Ｔ０・・・式（１）
Ｋ０＞０・・・式（２）
Ｋ１＞０・・・式（３）
（ここで、
Ｋ０：室外側カバー部５３における室外側表面材４１側の側面の外周端と室外側表面材４１の室外側貫通孔４１ａの外周端との相互間の長さ、
Ｋ１：ガタつき抑制部７０の第２挿通孔７２ａと室外側操作軸５２との相互間の隙間の長さ、
Ｔ０：施錠装置本体５１から室外側表面材４１に至るまでの長さ、
Ｔ１：施錠装置本体５１から第２挿通孔７２ａに至るまでの長さ（なお、図３では、施錠装置本体５１から第２側部７２における部屋の室内側の側面に形成された第２挿通孔７２ａに至るまでの長さを示す））
【００５３】
ここで、これら式（１）から式（３）に基づいて上記隙間の長さＫ１に設定した理由は、以下に示す通りである。すなわち、例えば、上記隙間の長さＫ１が上記相互間の長さＫ０と同一の長さに設定された場合には、室外側操作軸５２のガタつきの量が上記隙間の長さＫ１（＝Ｋ０）と同程度の量に達すると、室外側貫通孔４１ａの一部が室外側カバー部５３によって覆われなくなるので、室外側貫通孔４１ａが外部に露出するおそれがある。一方、上記隙間の長さＫ１がゼロに近い値に設定された場合には、室外側操作軸５２のガタつきがほとんど生じなくなるものの、室外側操作軸５２を施錠装置本体５１に対して取り付ける際のアソビ（つまり、第２挿通孔７２ａと室外側操作軸５２（具体的には、操作軸本体５２ａ）との相互間の隙間）を確保できないので、当該取り付けが難しくなるおそれがある。以上のような問題を回避するために、これら式（１）から式（３）に基づいて上記隙間の長さＫ１に設定している。
【００５４】
また、上記隙間の長さＫ１の詳細については、具体的には、図３に示すように、ガタつき抑制部７０の第２挿通孔７２ａの位置が施錠装置本体５１と室外側表面材４１との略中間の位置となるように（すなわち、Ｔ１≒Ｔ０／２となるように）、ガタつき抑制部７０が設けられているので、Ｋ１≒Ｋ０／２（具体的には、Ｋ０／２よりも若干短い長さ）に設定されている。このような設定により、第２挿通孔７２ａにおいて、室外側表面材４１の室外側貫通孔４１ａが外部に露出することを防止しながら、室外側操作軸５２を施錠装置本体５１に対して取り付ける際のアソビを確保できるので、扉１の使用時の安全性を確保しながら、施錠装置５０の施工性を維持することが可能となる。
【００５５】
また、上記隙間の長さＫ１の設定に伴い、図３から図５に示すように、ガタつき抑制部７０の第２挿通孔７２ａの大きさが、下記式（４）、下記式（５）を満たすように設定されている。
Ａ１＝Ｂ１＋Ｋ１×２・・・式（４）
Ａ２＝Ｂ２＋Ｋ１×２・・・式（５）
（ここで、
Ａ１：ガタつき抑制部７０の第２挿通孔７２ａにおける室外側操作軸５２の第１接続部５２ｂと第２接続部５２ｃとの並設方向に略直交する方向の長さ（図５では、第２挿通孔７２ａの左右方向の長さ）、
Ａ２：ガタつき抑制部７０の第２挿通孔７２ａにおける室外側操作軸５２の第１接続部５２ｂと第２接続部５２ｃとの並設方向の長さ（図５では、第２挿通孔７２ａの上下方向の長さ）、
Ｂ１：室外側操作軸５２の操作軸本体５２ａにおける室外側操作軸５２の第１接続部５２ｂと第２接続部５２ｃとの並設方向に略直交する方向の長さ（図４では、室外側操作軸５２の左右方向の長さ）、
Ｂ２：室外側操作軸５２における第１接続部５２ｂの外縁端部から第２接続部５２ｃの外縁端部に至る長さ（図４では、室外側操作軸５２の上下方向の長さ））
【００５６】
具体的には、上述したように、第２挿通孔７２ａの位置が施錠装置本体５１と室外側表面材４１との略中間の位置であるので、図５に示すように、第２挿通孔７２ａの左右方向の長さＡ１＝Ｂ１＋Ｘ（ここで、「Ｘ」とは、Ｋ０よりも若干小さな値を意味する）となり、第２挿通孔７２ａの上下方向の長さＡ２＝Ｂ２＋Ｘとなる領域８０（以下、「設定可能領域８０」と称する）内に第２挿通孔７２ａが収まるように設定されている。また、この第２挿通孔７２ａの形状及び大きさについては、図５の設定可能領域８０と略同一の形状及び大きさに設定することも可能であるが、この場合には、第２挿通孔７２ａの室外側操作軸５２との相互間の隙間のうち、左斜め方向及び右斜め方向の各々における隙間の長さが比較的長いことから、室外側操作軸５２が左斜め方向又は右斜め方向にガタついた場合に、当該ガタつきの量が上記相互間の長さＫ０を上回るおそれがある。よって、このような問題を回避するために、図５に示す第２挿通孔７２ａの形状及び大きさに設定しており、具体的には、第２挿通孔７２ａの形状については、室外側操作軸５２における部屋の室内側の端部の外周端の形状と同一に設定し、第２挿通孔７２ａの大きさについては、第２挿通孔７２ａの半径方向の長さが上記外周端の半径方向の長さよりも上記隙間の長さＫ１分だけ長くなる大きさに設定している。このような設定により、室外側操作軸５２が、操作軸本体５２ａ、第１接続部５２ｂ、及び第２接続部５２ｃを有する場合でも、第２挿通孔７２ａにおいて、室外側貫通孔４１ａが外部に露出することを防止しながら、室外側操作軸５２を施錠装置本体５１に対して取り付ける際のアソビを確保できるので、扉１の使用時の安全性を一層確保しながら、施錠装置５０の施工性を一層維持できる。
【００５７】
（構成−施錠装置の取付構造−ガタつき抑制部の第３側部）
第３側部７３は、第１側部７１と第２側部７２とを接続するための側部であり、図３、図５に示すように、第１側部７１と第２側部７２との相互間において、略水平に設けられている。
【００５８】
このように構成されたガタつき抑制部７０は任意の方法や材質で製造することができ、例えば、スチール製の板状体を折り曲げ成形することにより、第１側部７１、第２側部７２、及び第３側部７３を一体に成形し、この折り曲げ成形の前後のいずれかの時点で、第１挿通孔７１ａ及び第２挿通孔７２ａを孔加工することで製造してもよい。
【００５９】
以上のような施錠装置５０の取付構造により、室外側表面材４１の室外側貫通孔４１ａが外部に露出することを確実に防止できる。よって、外部に露出した室外側貫通孔４１ａにユーザの指が挿入されることを回避できるため、扉１の使用時の安全性を確保できると共に、扉１の意匠性を維持することができる。
【００６０】
（施錠装置の取付構造の作用について）
続いて、このように構成された施錠装置５０の取付構造の作用について説明する。
【００６１】
すなわち、施錠装置５０の室外側操作軸５２が施錠装置５０の施錠装置本体５１に対して取り付けられる場合においては、作業者（又はユーザ）によって室外側操作軸５２が室外側表面材４１の室外側貫通孔４１ａを介して扉体２０の内部に挿通されると、上記隙間の長さＫ１が上記式（１）から上記式（３）に基づいて設定されているので、ガタつき抑制部７０の第２挿通孔７２ａと室外側操作軸５２（具体的には、操作軸本体５２ａ）との相互間にアソビがあることから、室外側操作軸５２を室外側貫通孔４１ａに挿通させた状態でも室外側操作軸５２と施錠装置本体５１との位置合わせを容易且つ正確に行うことができる。よって、室外側操作軸５２を施錠装置本体５１に対して効率良く取り付けることができ、施錠装置５０の施工性を維持できる。
【００６２】
また、施錠装置５０が操作される場合においては、ユーザによって室外側操作軸５２を介して錠操作が行われると、ガタつき抑制部７０の第２挿通孔７２ａと室外側操作軸５２との相互間に隙間が設けられているので、室外側操作軸５２のガタつきが生じる。この場合には、上記隙間の長さＫ１が上記式（１）から上記式（３）に基づいて設定されていることから、室外側操作軸５２のガタつきの量が上記相互間の長さＫ０を下回る長さに制限されるので、室外側表面材４１の室外側貫通孔４１ａが外部に露出することを防止できる。よって、扉１の使用時の安全性を確保しながら、扉１の意匠性を維持することができる。
【００６３】
（構成−その他の構成）
また、この他にも、ガタつき抑制部７０は、できる限りにおいて任意の構造にて構成可能である。
【００６４】
具体的には、実施の形態においては、ガタつき抑制部７０が、Ｙ−Ｚ平面に沿った断面形状が逆Ｕ字形状となる略板状体にて形成されていると説明したが、これに限られない。例えば、図６に示すように、ガタつき抑制部７０が、Ｙ−Ｚ平面に沿った断面形状がＺ字形状となる略板状体にて形成され、具体的には、第３側部７３の室外側の端部から上方に向けて張り出すように形成された第１側部７１と、第３側部７３における部屋の室内側の端部から下方に向けて張り出すように形成された第２側部７２であって、第２挿通孔７２ａを有する第２側部７２と、第１側部７１と第２側部７２とを接続するための第３側部７３とを備えてもよい。このような構成により、第１側部７１に第１挿通孔７１ａを設ける必要がないので、第１挿通孔７１ａを加工する手間を省略することができる。
【００６５】
また、実施の形態においては、ガタつき抑制部７０が、室外側表面材４１に対して固定されていると説明したが、これに限られない。例えば、ガタつき抑制部７０が、扉フレーム３０に対して固定されてもよい。この場合には、例えば、図７に示すように、ガタつき抑制部７０が、Ｘ−Ｙ平面に沿った断面形状がＬ字形状となる略板状体にて形成され、具体的には、扉フレーム３０の戸先側縦力骨３２に対向するように設けられた第１側部７１であって、戸先側縦力骨３２に対して固定具又は溶接等により固定するための第１側部７１と、第１側部７１における部屋の室内側の端部から戸尻側に向けて張り出すように形成された第２側部７２であって、第２挿通孔７２ａを有する第２側部７２とを備えてもよい。このような構成により、ガタつき抑制部７０を室外側表面材４１に対して固定した場合に比べて、ガタつき抑制部７０を安定して固定することができる。また、戸先側縦力骨３２の加工精度が室外側表面材４１の加工精度よりも比較的高く、また、室外側表面材４１の大きさがガタつき抑制部７０の大きさ（又は戸先側縦力骨３２の大きさ）よりも大きいことにより、ガタつき抑制部７０の加工精度（又は戸先側縦力骨３２の加工精度）が室外側表面材４１よりも比較的高いことからすると、施錠装置本体５１が取り付けられている戸先側縦力骨３２にガタつき抑制部７０を直接取り付けることにより、ガタつき抑制部７０の位置合わせを正確に行うことができる。よって、ガタつき抑制部７０の設置性を向上させることが可能となる。
【００６６】
また、実施の形態においては、ガタつき抑制部７０が、薄肉状の板状体にて形成されていると説明したが、これに限られない。例えば、図８に示すように、ガタつき抑制部７０が、厚肉状の板状体にて形成されてもよい。この場合において、第２挿通孔７２ａの大きさについては、図８に示すように、第２側部７２の厚さ方向（前後方向）に対して略同一の大きさになるように設定してもよいが、これに限られない。例えば、図９に示すように、第２側部７２の側面のうち施錠装置本体５１側の側面から室外側表面材４１側の側面に至るにしたがって大きくなるように設定してもよい。このような設定により、室外側操作軸５２を施錠装置本体５１に対して容易に取り付けることができ、施錠装置５０の施工性を維持することが可能となる。
【００６７】
（実施の形態の効果）
このように実施の形態によれば、第２挿通孔７２ａに室外側操作軸５２を挿通させることにより、室外側カバー部５３によって室外側貫通孔４１ａが覆われるように、当該室外側操作軸５２のガタつきを抑制するので、室外側貫通孔４１ａが外部に露出することを確実に防止できる。よって、外部に露出した室外側貫通孔４１ａにユーザの指が挿入されることを回避できるため、扉１の使用時の安全性を確保できると共に、扉１の意匠性を維持することができる。
【００６８】
また、第２挿通孔７２ａと室外側操作軸５２との相互間の隙間の長さを、下記式（１）から下記式（３）を満たすように設定したので、第２挿通孔７２ａにおいて、室外側貫通孔４１ａが外部に露出することを防止しながら、室外側操作軸５２を施錠装置本体５１に対して取り付ける際のアソビ（隙間）を確保できるので、扉１の使用時の安全性を確保しながら、施錠装置５０の施工性を維持することが可能となる。
Ｋ１＜Ｋ０×Ｔ１／Ｔ０・・・（１）
Ｋ０＞０・・・（２）
Ｋ１＞０・・・（３）
（ここで、
Ｋ０：室外側カバー部５３における室外側表面材４１側の側面の外周端と室外側表面材４１の室外側貫通孔４１ａの外周端との相互間の長さ、
Ｋ１：ガタつき抑制部７０の第２挿通孔７２ａと室外側操作軸５２との相互間の隙間の長さ、
Ｔ０：施錠装置本体５１から室外側表面材４１に至るまでの長さ、
Ｔ１：施錠装置本体５１から第２挿通孔７２ａに至るまでの長さ）
【００６９】
また、ガタつき抑制部７０の第２挿通孔７２ａの大きさを、下記式（４）、下記式（５）を満たすように設定したので、室外側操作軸５２が、操作軸本体５２ａ、第１接続部５２ｂ、及び第２接続部５２ｃを有する場合でも、第２挿通孔７２ａにおいて、室外側貫通孔４１ａが外部に露出することを防止しながら、室外側操作軸５２を施錠装置本体５１に対して取り付ける際のアソビを確保できるので、扉１の使用時の安全性を一層確保しながら、施錠装置５０の施工性を一層維持できる。
Ａ１＝Ｂ１＋Ｋ１×２・・・（４）
Ａ２＝Ｂ２＋Ｋ１×２・・・（５）
（ここで、
Ａ１：ガタつき抑制部７０の第２挿通孔７２ａにおける第１接続部５２ｂと第２接続部５２ｃとの並設方向に略直交する方向の長さ、
Ａ２：ガタつき抑制部７０の第２挿通孔７２ａにおける第１接続部５２ｂと第２接続部５２ｃとの並設方向の長さ、
Ｂ１：操作軸本体５２ａにおける第１接続部５２ｂと第２接続部５２ｃとの並設方向に略直交する方向の長さ、
Ｂ２：第１接続部５２ｂの外縁端部から第２接続部５２ｃの外縁端部に至る長さ）
【００７０】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００７１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７２】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７３】
（扉体ついて）
上記実施の形態では、扉体２０が中骨３３を備えていると説明したが、これに限られず、中骨３３を省略してもよい。
【００７４】
（ヒンジ部ついて）
上記実施の形態では、ヒンジ部６０が旗蝶番を用いて構成されていると説明したが、これに限られず、例えば、ピボットヒンジ等を用いて構成されてもよい。この場合には、開口部２の上方側において扉体２０と上側横枠１３とを接続するためのヒンジ部と、開口部２の下方側において扉体２０と戸尻側縦枠１１とを接続するためのヒンジ部とが設けられる。
【００７５】
（施錠装置について）
上記実施の形態では、室外側操作軸５２（又は室内側操作軸５４）の操作軸本体が円筒状体にて形成されていると説明したが、これに限られない。例えば、断面形状が楕円である楕円筒状体、又は断面形状が多角形の多角形筒状体にて形成されてもよい。この場合には、第２挿通孔７２ａの形状については、室外側操作軸５２の断面形状に応じた形状に設定されてもよい。
【００７６】
また、上記実施の形態では、室外側操作軸５２（又は室内側操作軸５４）が２つの接続部（すなわち、第１接続部５２ｂ及び第２接続部５２ｃ）を備えていると説明したが、これに限られない。例えば、１つの接続部のみを備えてもよく、あるいは、３つ以上の接続部を備えてもよい。
【００７７】
また、上記実施の形態では、施錠装置５０が設置されている状態において、室外側操作軸５２が第２挿通孔７２ａに単に挿通されていると説明したが、これに限られない。例えば、第２挿通孔７２ａの外周端に可撓性を有する緩衝材（一例として、樹脂製のパッキン等）を設け、室外側操作軸５２がこの緩衝材を介して第２挿通孔７２ａに挿通されてもよい。これにより、室外側操作軸５２を施錠装置本体５１に対して取り付ける際のアソビを確保しながら、室外側操作軸５２のガタつきの量を小さくすることができる。
【００７８】
（ガタつき抑制部について）
上記実施の形態では、室外側操作軸５２のガタつきを抑制するためのガタつき抑制部７０が設けられていると説明したが、これに限られず、例えば、室内側操作軸５４のガタつきを抑制するためのガタつき抑制部７０が設けられてもよい。あるいは、室外側操作軸５２の軸方向の長さが室内側操作軸５４の軸方向の長さよりも短い場合には、室外側操作軸５２のガタつき抑制部７０を省略して、室内側操作軸５４のガタつき抑制部７０のみが設けられてよい。
【００７９】
また、上記実施の形態では、ガタつき抑制部７０の第２挿通孔７２ａの位置が施錠装置本体５１と室外側表面材４１との略中間の位置となるように、ガタつき抑制部７０が設けられていると説明したが、これに限られない。例えば、第２挿通孔７２ａの位置が施錠装置本体５１と室外側表面材４１との略中間の位置よりも施錠装置本体５１側の位置（又は室外側表面材４１側の位置）となるように設けられてもよい。
【００８０】
また、上記実施の形態では、図３、図５に示すように、第２挿通孔７２ａの中心点が室外側貫通孔４１ａの中心点と略同一直線上に位置するように、第２挿通孔７２ａが設けられていると説明したが、これに限られない。例えば、第２挿通孔７２ａの中心点が室外側貫通孔４１ａの中心点と非同一直線上に位置するように設けられてもよい（なお、図６から図１０の第２挿通孔７２ａについても同様とする）。
【００８１】
また、上記実施の形態では、第１側部７１が、室外側表面材４１のみと当接するように設けられていると説明したが、これに限られない。例えば、第１側部７１が、室外側表面材４１と当接すると共に、扉フレーム３０の戸先側縦力骨３２の一部（例えば、図３に示す室外側表面材４１との接触部分のうち、戸尻側の端部）と当接するように設けられてもよい。この場合において、第１側部７１が戸先側縦力骨３２と当接することにより、第１挿通孔７１ａの中心点及び第２挿通孔７２ａの中心点が室外側貫通孔４１ａの中心点と略同一直線上に位置するように、ガタつき抑制部７０を形成することで、ガタつき抑制部７０の位置合わせを容易に行うことができる。また、第１側部７１を室外側表面材４１に対して接着テープ又は接着剤等によって固定すると共に、戸先側縦力骨３２に対して溶接等により固定することで、ガタつき抑制部７０を一層強固に固定することができる。
【００８２】
また、上記実施の形態では、第２挿通孔７２ａの上下方向の長さが、式（５）に基づいて設定されていると説明したが、これに限られない。一例として、室外側操作軸５２を施錠装置本体５１に対して取り付ける際に、室外側操作軸５２を前後方向に沿った回転軸（図示省略）を中心に時計回り方向（又は反時計回り方向）に４５度回転させた状態で第２挿通孔７２ａに挿通し、その後回転させる前の状態に戻してから室外側操作軸５２を施錠装置本体５１に対して接続する場合には、第２挿通孔７２ａの左斜め方向（又は右斜め方向）の長さが、図５の第２挿通孔７２ａの上下方向の長さと略同一の長さに設定されてもよい。このような設定により、第２挿通孔７２ａの上下方向の長さを、図５の第２挿通孔７２ａの上下方向の長さよりも短くすることができる。
【００８３】
また、上記実施の形態では、ガタつき抑制部７０が、第１側部７１、第２側部７２、及び第３側部７３を備えていると説明したが、これに限られない。例えば、図１０に示すように、これらの構成要素に加えて、第１側部７１と第２側部７２との相互間において設けられた第４側部７４であって、第３側部７３から下方に向けて張り出すように形成された第４側部７４を備えてもよい。この場合において、第２側部７２の第２挿通孔７２ａの形状及び大きさを、第２挿通孔７２ａの左右方向の長さＡ１＝Ｂ１＋Ｘ、第２挿通孔７２ａの上下方向の長さＡ２＝Ｂ２＋Ｘとなる矩形状に設定し、第４側部７４に形成された第３挿通孔７４ａの形状及び大きさを、第３挿通孔７４ａの左右方向の長さＡ３＝Ｂ２＋Ｙ（ここで、「Ｙ」とは、Ｘよりも若干大きな値を意味する）、第２挿通孔７２ａの上下方向の長さＡ４＝Ｂ１＋Ｙとなる矩形状に設定してもよい。あるいは、第４側部７４を設けることなく、単に、図３のガタつき抑制部７０の第１挿通孔７１ａの形状及び大きさを、第３挿通孔７４ａの形状及び大きさと略同一（又は若干大きな大きさ）に設定してもよい。このような構成により、図５のガタつき抑制部７０と略同様に、室外側操作軸５２のガタつきを抑制することが可能となる。なお、このような構成において、室外側操作軸５２を施錠装置本体５１に対して取り付ける際には、例えば、図４に示す室外側操作軸５２を前後方向に沿った回転軸を中心に９０度回転させた状態で第３挿通孔７４ａに挿通し、その後回転させる前の状態に戻してから第２挿通孔７２ａに挿通した後、当該回転させる前の状態で室外側操作軸５２を施錠装置本体５１に対して接続してもよい。また、このようなガタつき抑制部７０は任意の方法や材質で製造することができ、例えば、まず、スチール製の板状体を折り曲げ成形することにより、第１側部７１及び第３側部７３の一部を一体に成形すると共に、第２側部７２、第３側部７３の他の一部、及び第４側部７４を一体に成形する。そして、これら折り曲げ成形の前後のいずれかの時点で、第１側部７１を含む板状体と第２側部７２を含む板状体とを溶接等により接続すると共に、第１挿通孔７１ａ、第２挿通孔７２ａ、及び第３挿通孔７４ａを孔加工することで製造してもよい。あるいは、これに限られず、金型等用いる公知の鋳造方法により、第１側部７１、第２側部７２、第３側部７３、第４側部７４、第１挿通孔７１ａ、第２挿通孔７２ａ、及び第３挿通孔７４ａを一体的に形成してもよい。
【００８４】
（付記）
付記１の施錠装置の取付構造は、建物の開口部に設けられた扉を構成する扉体を施錠するための施錠装置であり、前記扉体の内部に設けられた施錠装置本体と、前記扉体を構成する表面材に形成された貫通孔を介して前記施錠装置本体から前記扉体の外側に向けて突出するように設けられた操作軸と、前記操作軸の先端部に接続されたカバー部であり、前記貫通孔を前記扉体の外側から覆うためのカバー部とを備えた施錠装置を、前記扉体に対して取り付けるための取付構造であって、前記扉体の内部において前記表面材と前記施錠装置本体との相互間に設けられたガタつき抑制手段であり、挿通孔を有するガタつき抑制手段であって、前記挿通孔に前記操作軸を挿通させることにより、前記カバー部によって前記表面材の前記貫通孔が覆われるように、当該操作軸のガタつきを抑制する。
【００８５】
付記２の施錠装置の取付構造は、付記１に記載の施錠装置の取付構造において、前記ガタつき抑制手段の前記挿通孔と前記操作軸との相互間の隙間の長さを、下記式（１）から下記式（３）を満たすように設定した。
Ｋ１＜Ｋ０×Ｔ１／Ｔ０・・・（１）
Ｋ０＞０・・・（２）
Ｋ１＞０・・・（３）
（ここで、
Ｋ０：カバー部における表面材側の側面の外周端と表面材の貫通孔の外周端との相互間の長さ、
Ｋ１：ガタつき抑制手段の挿通孔と操作軸との相互間の隙間の長さ、
Ｔ０：施錠装置本体から表面材に至るまでの長さ、
Ｔ１：施錠装置本体から挿通孔に至るまでの長さ）
【００８６】
付記３の施錠装置の取付構造は、付記２に記載の施錠装置の取付構造において、前記操作軸は、操作軸本体と、前記操作軸本体から当該操作軸本体に略直交する方向に向けて突出する第１接続部であり、当該操作軸本体を前記施錠装置本体に接続するための第１接続部と、前記操作軸本体に対して前記第１接続部側とは反対側の位置において、当該操作軸本体から当該操作軸本体に略直交する方向に向けて突出する第２接続部であり、当該操作軸本体を前記施錠装置本体に接続するための第２接続部と、を備え、前記ガタつき抑制手段の前記挿通孔の大きさを、下記式（４）、下記式（５）を満たすように設定した。
Ａ１＝Ｂ１＋Ｋ１×２・・・（４）
Ａ２＝Ｂ２＋Ｋ１×２・・・（５）
（ここで、
Ａ１：ガタつき抑制手段の挿通孔における第１接続部と第２接続部との並設方向に略直交する方向の長さ、
Ａ２：ガタつき抑制手段の挿通孔における第１接続部と第２接続部との並設方向の長さ、
Ｂ１：操作軸本体における第１接続部と第２接続部との並設方向に略直交する方向の長さ、
Ｂ２：第１接続部の外縁端部から第２接続部の外縁端部に至る長さ）
【００８７】
付記４の施錠装置の取付構造は、付記１から３のいずれか一項に記載の施錠装置の取付構造において、前記ガタつき抑制手段は、前記挿通孔を有する厚肉状の側部であり、前記表面材に対して略平行に設けられた側部を備え、前記挿通孔の大きさを、前記側部の側面のうち前記施錠装置本体側の側面から前記表面材側の側面に至るにしたがって大きくした。
【００８８】
（付記の効果）
付記１に記載の施錠装置の取付構造によれば、挿通孔に操作軸を挿通させることにより、カバー部によって表面材の貫通孔が覆われるように、当該操作軸のガタつきを抑制するので、貫通孔が外部に露出することを確実に防止できる。よって、外部に露出した貫通孔にユーザの指が挿入されることを回避できるため、扉の使用時の安全性を確保できると共に、扉の意匠性を維持することができる。
【００８９】
付記２に記載の施錠装置の取付構造によれば、ガタつき抑制手段の挿通孔と操作軸との相互間の隙間の長さを、下記式（１）から下記式（３）を満たすように設定したので、挿通孔において、貫通孔が外部に露出することを防止しながら、操作軸を施錠装置本体に対して取り付ける際のアソビ（隙間）を確保できるので、扉の使用時の安全性を確保しながら、施錠装置の施工性を維持することが可能となる。
Ｋ１＜Ｋ０×Ｔ１／Ｔ０・・・（１）
Ｋ０＞０・・・（２）
Ｋ１＞０・・・（３）
（ここで、
Ｋ０：カバー部における表面材側の側面の外周端と表面材の貫通孔の外周端との相互間の長さ、
Ｋ１：ガタつき抑制手段の挿通孔と操作軸との相互間の隙間の長さ、
Ｔ０：施錠装置本体から表面材に至るまでの長さ、
Ｔ１：施錠装置本体から挿通孔に至るまでの長さ）
【００９０】
付記３に記載の施錠装置の取付構造によれば、ガタつき抑制手段の挿通孔の大きさを、下記式（４）、下記式（５）を満たすように設定したので、操作軸が、操作軸本体、第１接続部、及び第２接続部を有する場合でも、挿通孔において、貫通孔が外部に露出することを防止しながら、操作軸を施錠装置本体に対して取り付ける際のアソビを確保できるので、扉の使用時の安全性を一層確保しながら、施錠装置の施工性を一層維持できる。
Ａ１＝Ｂ１＋Ｋ１×２・・・（４）
Ａ２＝Ｂ２＋Ｋ１×２・・・（５）
（ここで、
Ａ１：ガタつき抑制手段の挿通孔における第１接続部と第２接続部との並設方向に略直交する方向の長さ、
Ａ２：ガタつき抑制手段の挿通孔における第１接続部と第２接続部との並設方向の長さ、
Ｂ１：操作軸本体における第１接続部と第２接続部との並設方向に略直交する方向の長さ、
Ｂ２：第１接続部の外縁端部から第２接続部の外縁端部に至る長さ）
【００９１】
付記４に記載の施錠装置の取付構造によれば、挿通孔の大きさを、側部の側面のうち施錠装置本体側の側面から表面材側の側面に至るにしたがって大きくしたので、操作軸を施錠装置本体に対して容易に取り付けることができ、施錠装置の施工性をさらに一層維持することが可能となる。
【符号の説明】
【００９２】
１  扉
２  開口部
１０  枠体
１１  縦枠、戸尻側縦枠
１２  縦枠、戸先側縦枠
１３  横枠、上側横枠
１４  横枠、くつずり横枠
１５  枠材本体
１６  固定材
１７  ライナ
２０  扉体
２１  把手
２１ａ  把手本体部
２２  ラッチ
２３  取付板
３０  扉フレーム
３１  縦力骨、戸尻側縦力骨
３２  縦力骨、戸先側縦力骨
３３  中骨
４１  表面材、室外側表面材
４１ａ  室外側貫通孔
４２  表面材、室内側表面材
４２ａ  室内側貫通孔
５０  施錠装置
５１  施錠装置本体
５２  室外側操作軸
５２ａ  操作軸本体
５２ｂ  第１接続部
５２ｃ  第２接続部
５２ｄ  キー挿入孔
５２ｅ  挿通孔
５３  室外側カバー部
５４  室内側操作軸
５４ａ  操作軸本体
５４ｂ  つまみ部
５５  室内側カバー部
６０  ヒンジ部
６１  上支持片
６２  下支持片
６３  下軸
６４  上軸受
７０  ガタつき抑制部
７１  第１側部
７１ａ  第１挿通孔
７２  第２側部
７２ａ  第２挿通孔
７３  第３側部
７４  第４側部
７４ａ  第３挿通孔
８０  設定可能領域
【図１】
2018123519.tif 000003
【図２】
2018123519.tif 000004
【図３】
2018123519.tif 000005
【図４】
2018123519.tif 000006
【図５】
2018123519.tif 000007
【図６】
2018123519.tif 000008
【図７】
2018123519.tif 000009
【図８】
2018123519.tif 000010
【図９】
2018123519.tif 000011
【図１０】
2018123519.tif 000012